【事件の表示】
　特願２０１７−５０１０７７「無線ウェアラブルデバイスを用いて運動モニタリングと視覚データを組み合わせる運動モニタリングのための方法及び装置」拒絶査定不服審判事件〔平成２７年　９月２４日国際公開、ＷＯ２０１５／１４２８１７、平成２９年　４月２０日国内公表、特表２０１７−５１１２３５〕について、次のとおり審決する。
【結　論】
　本件審判の請求は、成り立たない。
【理　由】
第１　手続の経緯
　本願は、２０１５年（平成２７年）３月１７日（パリ条約による優先権主張　２０１４年３月２０日　米国）を国際出願日とする出願であって、平成３０年１１月１日付けで拒絶理由が通知され、平成３１年１月２５日付けで意見書及び手続補正書が提出され、令和元年６月５日付けで拒絶査定されたところ、同年１０月１１日に拒絶査定不服審判の請求がなされ、同時に手続補正（以下、「本件補正」という。）がなされたものである。
第２　本件補正についての補正の却下の決定　
［補正の却下の決定の結論］　
　本件補正を却下する。　
　
［理由］　
１　本件補正について
（１）本件補正により、特許請求の範囲の請求項１の記載は、次のとおり補正された（下線は補正箇所を示す。）。　
「　【請求項１】
　ウェアラブルな無線インターネットデバイスを使用して運動をモニタリングする方法において、前記無線インターネットデバイスは、人に携行されるよう構成され
た携帯電話であり
と、一体型のＧＰＳデバイス、加速度計又はタイマー
　運動中に測定される生理学的データである第１のタイプのデータを
前記生理学的データを測定するセンサが一体化された時計から
前記
前記
前記
　運動中に前記デジタルカメラによってキャプチャされた視覚画像を表す、第３のタイプのデータを受け取るステップであって、前記視覚画像が前記運動中の写真又はビデオ画像を含む、ステップと；
　前記ネットワークを介した無線通信により、前記第１、第２又は第３のタイプのデータを、１つ以上のインターネットサーバに伝送するステップと；
　前記ネットワークを介した無線通信により、前記１つ以上のインターネットサーバから、前記第１、第２又は第３のタイプのデータの処理されたデータを受け取り、前記ユーザインタフェース上に表示するステップと；
　を含む、方法。」
（２）本件補正前の特許請求の範囲
「　【請求項１】
　ウェアラブルな無線インターネットデバイスを使用して運動をモニタリングする方法において、前記無線インターネットデバイスは、人に携行されるよう構成され、デジタルカメラと、グラフィクス、写真及びビデオクリップを含む画像を表示するユーザインタフェースを提供するためのディスプレイとを含み、前記無線インターネットデバイスは、ネットワークと無線通信で接続され、当該方法は、
　運動中に測定される生理学的データである第１のタイプのデータを受け取り、ＧＰＳデバイス、加速度計又はタイマーから、実行される運動作業の定量的な量である第２のタイプのデータを更に受け取るステップと；
　運動中に前記デジタルカメラによってキャプチャされた視覚画像を表す、第３のタイプのデータを受け取るステップであって、前記視覚画像が前記運動中の写真又はビデオ画像を含む、ステップと；
　前記ネットワークを介した無線通信により、前記第１、第２又は第３のタイプのデータを、１つ以上のインターネットサーバに伝送するステップと；
　前記ネットワークを介した無線通信により、前記１つ以上のインターネットサーバから、前記第１、第２又は第３のタイプのデータの処理されたデータを受け取り、前記ユーザインタフェース上に表示するステップと；
　を含む、方法。」
２　補正の適否
　本件補正は、補正前の請求項１に係る発明を特定するために必要な事項である「前記無線インターネットデバイス」について、「人に携行されるよう構成され、」を、「人に携行されるよう構成され
た携帯電話であり
　さらに、「前記無線インターネットデバイス」について、「ディスプレイとを含み、」を、「ディスプレイ
と、一体型のＧＰＳデバイス、加速度計又はタイマー
　さらに、「運動中に測定される生理学的データである第１のタイプのデータを受け取」ることについて、「運動中に測定される生理学的データである第１のタイプのデータを受け取り、」を、「運動中に測定される生理学的データである第１のタイプのデータを
前記生理学的データを測定するセンサが一体化された時計から
　したがって、本件補正は、本件補正前の請求項１に記載された発明を特定するために必要な事項について、上記のとおり限定を付加するものであって、補正前の請求項１に記載された発明と補正後の請求項１に記載される発明の産業上の利用分野及び解決しようとする課題が同一であるから、特許法１７条の２第５項２号の特許請求の範囲の減縮を目的とするものに該当する。そこで、本件補正後の前記請求項１に係る発明（以下「補正発明」という。）が、特許法第１７条の２第６項において準用する同法第１２６条第７項の規定に適合するか（特許出願の際独立して特許を受けることができるものであるか）について、以下に検討する。
３　引用文献及びその記載事項
（１）本願の優先権主張日前に頒布され、原査定の拒絶の理由に引用された米国特許出願公開第２０１０／０１２０５８５号明細書（以下、「引用文献１」という。）には、図面とともに次の事項が記載されている。なお、以下の摘記において、（２）の引用発明の認定に関連する箇所に下線を付与した。
ア　記載事項について　　
（１-ア）
「[0004] The present invention relates to monitoring of living subjects, such as during exercise, and more particularly to exercise monitoring of persons where measured or input exercise data is communicated by a mobile communications device to and from the internet.」
（当審訳：
[0004]
　本出願は、例えば運動中等の生体のモニタリングに関し、より具体的には、測定又は入力される運動データがモバイル通信デバイスによってインターネットへ及びインターネットから通信される、人の運動モニタリングに関する。）
（１-イ）
「[0009] The deployment of the above systems also currently lacks employment of full back-end server functionality with which to provide a wide range of interactive communication with the patient. Instead, such systems, if internet-enabled, are often limited to mere one-way non-interactive data transfer via a modem.
SUMMARY OF THE INVENTION
[0010]Embodiments of the present invention overcome one or more of the disadvantages of the prior art by providing a full-feature health and exercise monitoring system that may wirelessly connect to a back-end server application via the internet. The invention allows wireless access to and from a wide variety of present exercise or health-related instruments and devices, while maintaining the capability of connecting to future such devices.
[0011]The advent of multimedia mobile phones and other personal communications devices that include a digital camera, or are able to connect with one, allows the capture and transmission of health and exercise information, including images. In embodiments of the present invention, multimedia mobile phones are used to transmit voice and images as well as data from an exercise monitoring device. In addition to the uploading of images, the display screen of a wireless internet device (WID), such as a smart phone, is used to allow the display of images such as illustrations, diagrams or video clips which may be downloaded from a server as part of an interactive user interface (e.g., for the purpose of describing to a user how to set up an exercise regime). The ability to include images in a system that is based on a WID connected to a exercise monitoring device helps facilitate the remote analysis and monitoring of exercise, fitness, nutrition, or health.」
(当審訳：
[0009]
　上記システムの開発は、現在、患者との広範な対話的通信を提供する完全なバックエンドサーバの機能の利用にも欠ける。代わりに、そのようなシステムは、インターネット対応型の場合、モデムを介した一方向の非対話的なデータ転送に制限されることが多い。
発明の概要
[0010]
　本発明の実施形態は、インターネットを介してバックエンドのサーバアプリケーションと無線で接続することができるフル機能の健康及び運動モニタリングシステムを提供することによって、先行技術の欠点のうちの１つ以上を克服する。本発明は、将来のデバイスへの接続する能力を維持しつつ、多様な現在の運動又は健康関連の機器及びデバイスへの無線アクセス並びにこれらの機器及びデバイスからの無線アクセスを可能にする。
[0011]
　
デジタルカメラを含む
スマートフォン等の無線インターネットデバイス（「ＷＩＤ：wireless　internet　device」）のディスプレイ画面を使用し
対話的ユーザインタフェースの一部として
イラストレーション、図表、ビデオクリップ等のような画像の表示を可能にする
運動
についての
モニタリング
（１-ウ）
「[0017] A major advantage of embodiments of the invention is that the same frees the patient from the constraints of wired systems. The same allows users with consumer off-the-shelf wireless devices, e.g. mobile phone, to significantly extend the range of connectivity over that of wired computers, or even wireless telemetry systems.
[0018] The WID may be a web-enabled mobile phone. Alternatively, the WID may be a PDA, palm, handheld, tablet, netbook, or laptop computer, equipped with a wireless modem. Besides these, the WID may be a hybrid device that combines the functions of a computer, PDA and telephone in some fashion. It should also be noted that the WID may be a web-enabled mobile phone or hybrid device using a satellite communications network.」
(当審訳：
[0017]　
　本発明の実施形態の主な利点は、有線システムの制約から患者を解放することにある。
また、本発明の実施形態は、ユーザが、消費者の「既製の（off-the-shelf）」無線デバイス、例えば携帯電話とともに、接続の範囲を有線コンピュータの接続範囲に、あるいは無線テレメトリシステムの接続範囲にわたって大いに拡張することを可能にする。
[0018]
　
ＷＩＤは、ウェブ対応型の携帯電話であって
（１-エ）
「[0031] The use of a WID equipped with a hands-free earpiece and microphone allows the user to interact with the trainer, coach, or health care professional while recording exercise data. The use of a camera-equipped mobile phone further allows the trainer or health care professional to instruct the user to send photographs or video to assist in the exercise performance or analysis. The deployment of voice processing technology may be used to allow an even more convenient user interface.
[0032] In all of these respects, the portable aspect of the WID is important: to with, the user may conveniently carry the WID on their person wherever they go, allowing data entry at the time needed or as is convenient.」
(当審訳：
[0031]
　「ハンズフリー」のイヤホン及びマイクを備えたＷＩＤの使用は、運動データを記録している間に、ユーザが、トレーナー、コーチ又は医療専門家と対話することを可能にする。カメラを装備した携帯電話の使用は更に、トレーナー又は医療専門家が、運動のパフォーマンス又は分析を助けるために写真又はビデオを送信するようにユーザに指示することを可能にする。音声処理技術の発展を使用して、更にいっそう便利なユーザインタフェースを可能にすることができる。
[0032]これらの観点の全てにおいて、ＷＩＤのポータブルな側面は重要である：
ユーザが、出掛けるときにいつでもＷＩＤを身に着けて便利に持ち運ぶことができ
（１-オ）
「[0051] Referring to FIG. 2, a first embodiment of WEMA 10 is shown. WEMA 10 includes an HMD 11, which may include an optional monitor screen 40, coupled via an optional adaptor 42 to a WID 12. WID 12 connects wirelessly via an antenna 60 to base station 15 (see FIG. 1). One function of WID 12 may be to provide the user interface; other functions are described below.
[0052]As noted above, HMD 11 may include a physiological sensor 24 which connects to the HMD via a connection 44 (or which may alternatively connect directly to the WID) or a sensor 24' tracking an amount of exercise performed that connects to the WID (or HMD) via a connection 44'; or may include a manual system 36 for input of physiological and exercise data via a connection 34. Manual system 36 may also be used to input data directly into WID 12 via a connection 32. Manual system 36 may include, e.g., a keyboard or keypad 30, a mouse 26, a pen-type device 28, touch screen 28' and may also employ a separate monitor (not shown). Of course, the user may also view information on monitor 40 or on a screen 41 of WID 12. 
・・・
[0055] For exercise devices and applications, physiological sensor 24 may include, e.g., a sensor appropriate for measuring heart rate, respiration, blood glucose levels, blood oxygen levels, blood pressure, electrocardiograms (ECG), or any other desired physiological parameter. Sensor 24 may connect via an optional cable 44 to subject 38. Alternatively, sensor 24 may be distal of HMD 11, i.e., at or within subject 38. In other words, if cable 44 is employed, sensor 24 may be proximal or distal of cable 44. In some applications, such as some types of cardiac monitoring, sensor 24 is implanted within the patient. The sensor 24' tracking the exercise performed may include, e.g. a pedometer, accelerometer, biofeedback device, timer, GPS device, or other sensor tracking duration, rate, intensity or total amount of exercise. Either or both the physiological sensor and/or sensor tracking the amount of exercise may be incorporated in exercise machines such as a treadmill, exercise bicycle, stepper and so forth. Alternatively, other exercise monitors may also be employed so long as the measured data may either be transferred to WID 12, e.g., via optional adaptor 42, described in further detail below, or by being read by a user, e.g., from a display, and manually input to the WID.」
(当審訳：
[0051]
　図２を参照すると、第１の実施形態のＷＥＭＡ１０が図示されている。ＷＥＭＡ１０はＨＭＤ１１を含む。ＨＭＤ１１は、任意選択のモニタ画面４０を含んでよく、任意選択のアダプタ４２を介してＷＩＤ１２に結合される。ＷＩＤ１２は、アンテナ６０を介して基地局１５（図１を参照されたい）に無線で接続する。ＷＩＤ１２の１つの機能は、ユーザインタフェースを提供することであってよく、他の機能は以下で説明する。
[0052]
　上記のように、ＨＭＤ１１は、
接続４４を介して
代替的にＷＩＤに直接接続
生理センサ２４
、接続４４’を介してＷＩＤ
に接続する
実行される運動の量を追跡するセンサ２４’
・・・
[0055]
　運動デバイス及びアプリケーションのために、生理センサ２４は、例えば心拍、呼吸、血糖値、血液酸素レベル、血圧、心電図（ＥＣＧ）又は任意の他の所望の生理学的パラメータを測定するのに適したセンサを含み得る。センサ２４は任意選択のケーブル４４を介して被検体３８へ接続することができる。あるいは、センサ２４はＨＭＤ１１の遠位であってよい。すなわち、センサ２４は、被検体３８にあるか、被検体３８内にあってよい。言い換えると、ケーブル４４を用いる場合、センサ２４は、ケーブル４４の近くであっても、遠位であってもよい。一部のタイプの心臓モニタリング等のような一部の用法では、センサ２４が患者の内部に埋め込まれる。
実行される運動を追跡するセンサ２４’は、
加速度計、
タイマー、ＧＰＳデバイス、
を含み
（１-カ）
「[0078] The extent to which server application 62 interacts with wireless application 70 depends on the use to which the system is put. For example, in a less interactive embodiment, device application 70 may act to measure a user's heart rate during exercise and report the same to server application 62. In this case, a trainer may simply review the measured value and send the user a response reporting that the value is acceptable or not. In a highly interactive embodiment, a user may have numerous HMDs 11 measuring a variety of physiological data and/or other data tracking the amount of exercise performed, connected via optional adaptors to a WID 12, and wireless application 70 may correspondingly send a large amount of exercise data to server application 62. The trainer, coach, or physician accessing server application 62, may in turn send detailed plans for an exercise regimen via connection 72. The received data may be analyzed using algorithm 63, external data source 74, and AI system 76. In this sense, the two applications may be highly interactive.」
(当審訳：
[0078]
　サーバアプリケーション６２が無線アプリケーション７０と対話する範囲は、システムが置かれる用途に依存する。例えばあまり対話的でない実施形態では、デバイスアプリケーション７０は、運動中にユーザの心拍を測定して、この心拍をサーバアプリケーション６２へ報告するように動作し得る。この場合、トレーナーは単に、測定された値をレビューして、その値が受け入れ可能であるか否かを報告する応答をユーザに送信することができる。かなり対話的な実施形態では、ユーザは、様々な生理学的データ及び／又は実行された運動量を追跡する他のデータを測定し、かつ任意選択のアダプタを介してＷＩＤ１２に接続される、様々なＨＭＤ１１を有することがあり、無線アプリケーション７０は、これに対応して大量の運動データをサーバアプリケーション６２に送信し得る。次いで、サーバアプリケーション６２にアクセスするトレーナー、コーチ又は医師が、接続７２を介して運動計画について詳細なプランを送信することができる。受け取ったデータは、アルゴリズム６３、外部データソース７４及びＡＩシステム７６を使用して分析され得る。この意味において、２つのアプリケーションは非常に対話的である。)
（１-キ）
「[0082] Referring to FIG. 6, a flowchart of a method is shown for a system of exercise, fitness, nutrition or health monitoring, and/or exercise management. In this example, the HMD is in the form of a general exercise machine such as a treadmill, stepper, exercise bicycle and so forth. An exercise monitor may be integral to the exercise machine or may be separate.
[0083] In the method, both exercise data and visual data may be wirelessly transmitted from the WID. Visual data include that corresponding to photographic pictures, both still and video, and graphical or visual data output images from an HMD, e.g., an exercise machine or equipment display screen, or other images related to the exercise being performed. A trainer or coach may review these images and use them to guide the user as appropriate as described below.
[0084] After the start (step 242) of the method, a user interacts with a WID (step 240). By the interaction, visual data may be captured (step 241'), and/or the user may send supplemental data to the server and server application (step 241).
[0085] To obtain the visual data noted above, photographic data, a camera may be employed, which is either resident on the WID (camera 224 of FIG. 3) or is otherwise available by way of a link. The WID may store photographic data, either still or video, and transmit the same wirelessly to a point of collection, e.g., a server application, or may save the photographic data on the memory device for contemporaneous or later transmission, again either via a streamed, non-streamed, or other transmission method (step 208 of FIG. 6).
[0086] Also after the program is started (step 242), a sensor measures an exercise parameter (step 216), where the exercise parameter corresponds to physiological data or to data corresponding to the amount of exercise performed.
[0087] The exercise monitor sensor may send the parameter to the exercise machine (step 218) or the parameter may be sent directly to the WID (step 218'). It is understood here that the sensor may pertain to any of the exercise monitors discussed above.
[0088] If the parameter is sent to the exercise machine as an intermediate step, the exercise machine then sends the parameter to the WID (step 220). In any case, the WID wirelessly communicates the parameter to the application server (step 222), e.g., via the wireless web.
[0089] An alternative and complementary way of entering the parameter is by user input. For example, the user may enter the parameter into the exercise machine or into the WID. This parameter may correspond to an amount of exercise performed, an amount of food consumed, etc. Such data and other types are termed supplemental data, and may be transmitted to the server and server application (step 241). Calculations by the server application may take into account the supplemental data as well as the visual data and exercise data.
[0090] The server application processes the parameter (step 224 and optionally step 225), and calculates a response (step 226) based at least in part on the parameter. The server application may optionally employ external data (step 232) or an AI system (step 234) in the calculation. The application server then sends the response to the WID (step 228), where the response is displayed (step 230). Alternatively, the application server may sends the response to an alternate WID (step 228'), such as that of a coach or teammate, where the response is displayed (step 230').」
(当審訳：
[0082]　
　図６を参照すると、
運動
モニタリング
方法
[0083]　
　この方法では、運動データと視覚データの双方がＷＩＤから無線で伝送され得る。視覚データは、静止画とビデオの双方の写真ピクチャに対応し、例えば運動マシン又は装置のディスプレイ画面等のＨＭＤからのグラフィカル又は視覚データ出力画像、あるいは実行されている運動に関連する他の画像を含む。トレーナー又はコーチは、これらの画像をレビューし、これらの画像を使用して、上述のように適切にユーザをガイドすることができる。
[0084]　
　方法の開始（ステップ２４２）の後、ユーザがＷＩＤと対話する（ステップ２４０）。
対話
によって、視覚データをキャプチャすることができ
[0085]
　上記の
視覚データ、すなわち写真データ
カメラ
ＷＩＤ内に存在する
静止画又はビデオのいずれかの写真データを格納し
[0086]　
　また、プログラムが開始された後（ステップ２４２）、
センサは
測定する
生理学的データ又は実行された運動量に対応するデータ
[0087]　
　運動モニタセンサは、パラメータを運動マシンに送信してもよく（ステップ２１８）、
パラメータをＷＩＤに直接送信してもよい（ステップ２１８’）。ここでは、「センサ」
とは、上述の運動モニタのうちのいずれかに関連し得ることが理解される。
[0088]　
　中間ステップとして、パラメータが運動マシンに送信される場合、運動マシンは、次いでパラメータをＷＩＤに送信する（ステップ２２０）。いずれの場合も、
ＷＩＤは、
無線ウェブを介して、パラメータをアプリケーションサーバに無線で通信する
[0089]　
　パラメータを入力する代替的な補完的方法は、ユーザ入力によるものである。例えばユーザは、パラメータを運動マシンへ、あるいはＷＩＤへ入力する。このパラメータは、実行した運動量、消費した食べ物の量等に対応し得る。そのようなデータ及び他のタイプのものは補足データと呼ばれ、サーバ及びサーバアプリケーションへ伝送され得る（ステップ２４１）。サーバアプリケーションによる計算は、補足データに加えて、視覚データ及び運動データも考慮し得る。
[0090]　
　
サーバアプリケーションはパラメータを処理し
少なくともそのパラメータに基づいて、応答を計算する
次いで、アプリケーションサーバは、応答をＷＩＤへ送信し
、ここで応答が表示される
（１−ク）
FIG.2
イ　引用発明について
（ア）記載事項の整理
ａ　上記摘記（１−キ）[0086]の「センサは、運動パラメータを測定する（ステップ２１６）。この場合、運動データは、生理学的データ又は実行された運動量に対応するデータに対応する。」における「センサ」とは、摘記（１−オ）の[0052]における「生理センサ２４」及び「実行される運動の量を追跡するセンサ２４’」のことである。
ｂ　摘記（１−キ）における、[0086]の「運動パラメータ」と、[0088]，[0090]の「パラメータ」は、同じものを示しているといえることから、両者を「パラメータ」と記載する。
（イ）引用発明
　上記（ア）を踏まえると、上記ア（１−ア）〜（１−ク）から、引用文献１には、次の発明が記載されていると認められる。
「（ａ）デジタルカメラを含む、スマートフォン等のウェブ対応型の携帯電話である無線インターネットデバイス（「ＷＩＤ：wireless internet device」）を使用する、運動についてのモニタリング方法であって、[0011][0018][0082]
（ｂ）前記ＷＩＤは、ユーザが出掛けるときにいつでも身に着けて便利に持ち運ぶことができるものであり、［0031］
（ｃ）対話的ユーザインタフェースの一部としてイラストレーション、図表、ビデオクリップ等のような画像の表示を可能にするディスプレイを含み、［0011］
（ｄ）ＷＩＤ内に存在するカメラによって、視覚データをキャプチャすることができ、視覚データは静止画又はビデオのいずれかの写真データであり、[0084][0085]
（ｅ）接続４４を介して前記ＷＩＤに直接接続する生理センサ２４、接続４４’を介して前記ＷＩＤに接続する、実行される運動の量を追跡するセンサ２４’があり、［0052］
（ｆ）センサ２４、２４’は、生理学的データ又は実行された運動量に対応するデータであるパラメータを測定し、［0086］
（ｇ）センサ２４’は、加速度計、タイマー、ＧＰＳデバイス等の実行される運動を追跡するものであり、［0055］
（ｈ）前記ＷＩＤは、無線ウェブを介して、パラメータをアプリケーションサーバに無線で通信し、［0088］
（ｉ）サーバアプリケーションはパラメータを処理し、少なくともそのパラメータに基づいて、応答を計算し、[0090]
（ｊ）次いで、アプリケーションサーバは、応答をＷＩＤへ送信し、ここで応答が表示される[0090]
方法。」
（２）本願の優先権主張日前に頒布され、原査定の拒絶の理由に引用された特開２００９−７８１３４号公報（以下、「引用文献２」という。）には、次の事項が記載されている。
（２-ア）
「【００１４】
　図示されている
携帯型電子処理装置１０２は、走者１０１の腕に装着されている
【００１５】
　或る実施形態では、
携帯型電子処理装置１０２は、例えば、携帯電話
（２-イ）
「【００６０】
　或る実施形態では、
携帯型電子処理装置３００は、
全地球測位システム（ＧＰＳ）
の受信器３０５も含む。
（２-ウ）
「【０２３２】
　図２９は、本発明の或る実施形態による、スポーツ用電子トレーニングシステムの電話設定機能を示す図である。本発明の、
携帯型電子処理装置が携帯電話である
（２-エ）
「【０２３９】
　図３３に示されるように、或る実施形態では、携帯型電子処理装置は歩数計として動作できる。ユーザが表示画面２４０２で「歩数計」選択肢を選択した場合には、歩数計表示画面３３０２が現れる。歩数計用の情報は、例えば、
携帯型電子処理装置に統合された
加速度計
（３）本願の優先権主張日前に頒布され、原査定の拒絶の理由に引用された特開２０１４−１８２３４号公報（以下、「引用文献３」という。）には、次の事項が記載されている。
（３-ア）「【０００１】
　本発明は、眼鏡に配設されたセンサから生体に関する情報を取得して人体の健康管理を行う健康管理システムに関する。
【背景技術】
【０００２】
　生体情報を取得することができるセンサチップ等の技術向上により、高齢者や要介護者向けに、生体情報を常時取得して健康管理する技術が広まっている。つまり、高齢者や要介護者の生体情報を常時取得してモニタリングすることで、病院内の看護士や介護者の手間を省き、効率よく健康管理を行うことができる。
【０００３】
　生体情報を取得するためには各種のセンサを身体に取り付ける必要があるが、特に、高齢者や徘徊性認知症者のような対象者の場合、センサの取り付けを嫌う傾向があり、腕時計やリストバンドを利用したセンサでは外されてしまうことが多い。」
（４）本願の優先権主張日前に頒布された特開２０１３−２１２３１５号公報（以下、「引用文献４」という。）には、次の事項が記載されている。なお、引用文献４は、上記「２」で記載したように、本件補正により追加された「前記生理学的データを測定するセンサが一体化された時計から受け取」るとの事項を示すために提示する文献である。
（４−ア）「【０００２】
　従来の装着型使用者状態情報取得装置である無線センサ端末について図６を用いて説明する。
無線センサ端末は、腕時計として使用者に装着される
【０００３】
　
使用中、使用者の脈拍が脈拍センサ４０により検出され
（４−イ）「【００５１】
　無線通信部１３１がＩＥＥＥ８０２．１１シリーズを用いる場合、無線通信部１３１は、所定のルータ等の中間接続装置を介してインターネットに接続し、健康管理サーバに使用者状態情報を送信すればよい。一方、無線通信部１３１がＢＬＵＥＴＯＯＴＨを用いる場合、ＢＬＵＥＴＯＯＴＨが利用できる携帯電話（例えば、スマートフォン）に接続し、一旦、携帯電話に使用者状態情報を送信し、使用者状態情報を受信した携帯電話が、利用可能なインターネットとの接続網を介して健康管理サーバに使用者状態情報を送信すればよい。」
（４−ウ）
図６
４　引用発明との対比・判断
（１）運動をモニタリングする方法について
ア　引用発明の「（ａ）」「ＷＩＤ」は、本願発明の「無線インターネットデバイス」に相当する。
　また、引用発明の「(b)前記ＷＩＤ」は、「ユーザが出掛けるときにいつでも身に着けて便利に持ち運ぶことができるものであ」る。
　そうすると、引用発明の「（ａ） デジタルカメラを含む スマートフォン等のウェブ対応型の携帯電話である無線インターネットデバイス（「ＷＩＤ：wireless　internet　device」）を使用」する「運動についてのモニタリング方法」と、
　補正発明の「ウェアラブルな無線インターネットデバイスを使用して運動をモニタリングする方法」とは、
「身に着けて持ち運ぶことができる無線インターネットデバイスを使用して運動をモニタリングする方法」で共通する。　
　
（２）無線インターネットデバイスについて
ア　引用発明の「ユーザが出掛けるときにいつでも身に着けて便利に持ち運ぶことができるもの」とは、「人に携行されるよう構成された」ものといえる。
　そうすると、上記（１）アを踏まえると、引用発明の「（ａ）」「無線インターネットデバイス（「ＷＩＤ：wireless　internet　device」）」であって「（ｂ）前記ＷＩＤは、ユーザが出掛けるときにいつでも身に着けて便利に持ち運ぶことができるもの」は、「スマートフォン等」の「ウェブ対応型の携帯電話」であるから、補正発明の「無線インターネットデバイス」であって「人に携行されるよう構成された携帯電話」に相当する。
イ　（１）アを踏まえれば、引用発明の「（ａ）」「ＷＩＤ」は、「デジタルカメラを含む」から、補正発明の「デジタルカメラ」「を含」む「無線インターネットデバイス」に相当する。
ウ　引用発明の「（ｃ）」「イラストレーション、図表、ビデオクリップ等のような画像」は、補正発明の「グラフィクス、写真及びビデオクリップを含む画像」に相当する。
　そうすると、引用発明の「（ｂ）」「ＷＩＤ」は、「（ｃ）対話的ユーザインタフェースの一部としてイラストレーション、図表、ビデオクリップ等のような画像の表示を可能にするディスプレイを含」むものであるから、補正発明の「グラフィクス、写真及びビデオクリップを含む画像を表示するユーザインタフェースを提供するためのディスプレイ」「を含」む「無線インターネットデバイス」に相当する。
エ　引用発明の「（ｇ）」「加速度計、タイマー、ＧＰＳデバイス等の実行される運動を追跡する」「センサ２４’」が「（ｅ）」「接続４４’を介して」「接続」されている「前記ＷＩＤ」と、
　補正発明の「一体型のＧＰＳデバイス、加速度計又はタイマーを含」む「無線インターネットデバイス」とは、
　上位概念として「ＧＰＳデバイス、加速度計又はタイマー」がある「無線インターネットデバイス」の点で共通するといえる。
オ　ウェブは、インターネットで用いられる情報網であり、ネットワークである。
　そうすると、引用発明の「（ｈ）前記ＷＩＤ」は、「無線ウェブを介して、パラメータをアプリケーションサーバに無線で通信」するから、補正発明の「ネットワークと無線通信で接続され」た「無線インターネットデバイス」に相当する。
（３）３つのタイプのデータを受け取るステップについて
ア　引用発明の「（ｆ）センサ」が「測定」する「生理学的データ」は、「（ａ）」「運動についてのモニタリング方法」で用いるものであるから、補正発明の「運動中に測定される生理学的データである第１のタイプのデータ」に相当する。
　したがって、引用発明の「（ｆ）センサ」が、「生理学的データ」「を測定」することと、
　補正発明の「運動中に測定される生理学的データである第１のタイプのデータを前記生理学的データを測定するセンサが一体化された時計から受け取」ることとは、
　「運動中に測定される生理学的データである第１のタイプのデータを前記生理学的データを測定するセンサから受け取」る点で共通する。
イ　引用発明の「（ｆ）センサ」が「測定」する「実行された運動量に対応するデータ」は、「運動パラメータ」であり、「（ａ）」「運動についてのモニタリング方法」で用いるものであって、「（ｄ）」「センサ２４’」として「加速度計、タイマー、ＧＰＳデバイス等の実行される運動を追跡する」ものを「含」むから、補正発明の「前記ＧＰＳデバイス、前記加速度計又は前記タイマーから」、「更に受け取る」「実行される運動作業の定量的な量である第２のタイプのデータ」に相当する。
ウ　上記ア、イより、引用発明の「（ｆ）センサ２４、２４’は、生理学的データ又は実行された運動量に対応するデータである運動パラメータを測定」することと、
　補正発明の「運動中に測定される生理学的データである第１のタイプのデータを前記生理学的データを測定するセンサが一体化された時計から受け取り、前記ＧＰＳデバイス、前記加速度計又は前記タイマーから、実行される運動作業の定量的な量である第２のタイプのデータを更に受け取るステップ」とは、
　「運動中に測定される生理学的データである第１のタイプのデータを前記生理学的データを測定するセンサから受け取り、前記ＧＰＳデバイス、前記加速度計又は前記タイマーから、実行される運動作業の定量的な量である第２のタイプのデータを更に受け取るステップ」で共通する。
エ　引用発明の「（ｄ）ＷＩＤ内に存在するカメラによって、視覚データをキャプチャすること」は、「（ａ）」「運動についてのモニタリング方法」であるから運動中であることは明らかであり、「視覚データは静止画又はビデオのいずれかの写真データ」であるから、「写真データを取得」する「カメラ」がデジタルカメラであることは明らかである。
　そうすると、引用発明の「（ｄ）ＷＩＤ内に存在するカメラによって、視覚データをキャプチャすること」は、補正発明の「運動中に前記デジタルカメラによってキャプチャされた視覚画像を表す、第３のタイプのデータを受け取るステップであって、前記視覚画像が前記運動中の写真又はビデオ画像を含む、ステップ」に相当する。
オ　引用発明の「（ｈ）ＷＩＤは、無線ウェブを介して、パラメータをアプリケーションサーバに無線で通信」することは、補正発明の「前記ネットワークを介した無線通信により、前記第１、第２又は第３のタイプのデータを、１つ以上のインターネットサーバに伝送するステップと」に相当する。
カ　引用発明の「（ｉ）サーバアプリケーションはパラメータを処理し、少なくともそのパラメータに基づいて、応答を計算し、
（ｊ）次いで、アプリケーションサーバは、応答をＷＩＤへ送信し、ここで応答が表示される」ことは、補正発明の「前記ネットワークを介した無線通信により、前記１つ以上のインターネットサーバから、前記第１、第２又は第３のタイプのデータの処理されたデータを受け取り、前記ユーザインタフェース上に表示するステップ」に相当する。
（４）よって、補正発明と引用発明とは、以下の一致点で一致し、相違点１〜３で相違する。
（一致点）
「身に着けて持ち運ぶことができる無線インターネットデバイスを使用して運動をモニタリングする方法において、前記無線インターネットデバイスは、人に携行されるよう構成された携帯電話であり、デジタルカメラと、グラフィクス、写真及びビデオクリップを含む画像を表示するユーザインタフェースを提供するためのディスプレイを含む、ＧＰＳデバイス、加速度計又はタイマーがある前記無線インターネットデバイスは、ネットワークと無線通信で接続され、当該方法は、
　運動中に測定される生理学的データである第１のタイプのデータを前記生理学的データを測定するセンサから受け取り、前記ＧＰＳデバイス、前記加速度計又は前記タイマーから、実行される運動作業の定量的な量である第２のタイプのデータを更に受け取るステップと；
　運動中に前記デジタルカメラによってキャプチャされた視覚画像を表す、第３のタイプのデータを受け取るステップであって、前記視覚画像が前記運動中の写真又はビデオ画像を含む、ステップと；
　前記ネットワークを介した無線通信により、前記第１、第２又は第３のタイプのデータを、１つ以上のインターネットサーバに伝送するステップと；
　前記ネットワークを介した無線通信により、前記１つ以上のインターネットサーバから、前記第１、第２又は第３のタイプのデータの処理されたデータを受け取り、前記ユーザインタフェース上に表示するステップと；
　を含む、方法。」
（相違点１）
　身に着けて持ち運ぶことができる無線インターネットデバイスについて、補正発明では、「ウェアラブルな」ものであるのに対して、引用発明では、そのような特定をしていない点。
（相違点２）
　ＧＰＳデバイス、加速度計又はタイマーについて、補正発明では、無線インターネットデバイスと「一体型」とされており、それに「含」まれているのに対して、引用発明では、センサ２４’が無線インターネットデバイス（ＷＩＤ）と接続されている点。
（相違点３）
　生理学的データを測定するセンサについて、補正発明では、「時計と一体化」されているのに対して、引用発明では、生理センサ２４が、時計と一体化されていない点。
（５）判断
ア　相違点１についての検討
　引用文献２に、腕に装着する、すなわち、ウェアラブルな携帯型電子処理装置（例えば携帯電話）が記載されている。
　そして、ランニング等のトレーニングに用いるものを、身につけて取れずらく落ちないようにする（ウェアラブル）要求は、ランニング等のトレーニングをする人が普通に考えることである。
　そうすると、引用発明の無線インターネットデバイス（ＷＩＤ）に、引用文献２に記載された携帯型電子処理装置を腕に装着する構成を採用し、ウェアラブルなものとし、相違点１に係る補正発明の構成とすることは、当業者が容易に想到するものである。
イ　相違点２についての検討
　引用文献２に、携帯型電子処理装置が携帯電話である実施形態、携帯型電子処理装置３００がＧＰＳの受信器３０５も含むもの、携帯型電子処理装置に統合された加速度計が記載されている。また、タイマーも携帯型電子処理装置に一般に備えられた機能の一つであるように、ＧＰＳデバイス、加速度計又はタイマーについて、無線インターネットデバイスと一体型のものは、慣用されている。
　したがって、引用発明の無線インターネットデバイス（ＷＩＤ）において、センサ２４’と一体型のもの採用し、相違点２に係る補正発明の構成とすることは、当業者が容易に想到するものである。
ウ　相違点３についての検討
　生体情報を取得するための腕時計を利用したセンサは周知慣用の技術である（例えば、引用文献４の腕時計として使用者に装着される脈拍センサ４０参照。）。
　そして、腕時計は、外出するときに携帯する物として普通のものであるから、引用発明の生理センサ２４を上記周知慣用の技術を用いて時計と一体化し、相違点３に係る補正発明の構成とすることは、当業者が容易に想到するものである。
エ　そして、補正発明の作用効果は、引用文献１、２及び周知、慣用の技術から当業者が予測し得る範囲内のものにすぎず、格別顕著なものともいえない。
オ　したがって、補正発明は、引用発明、引用文献２に記載された技術事項及び周知、慣用の技術に基いて当業者が容易に発明をすることができたものであり、特許法第２９条第２項の規定により、特許出願の際独立して特許を受けることができないものである。
　
５　本件補正についてのむすび
　よって、本件補正は、特許法１７条の２第６項において準用する同法１２６条７項の規定に違反するので、同法１５９条１項の規定において読み替えて準用する同法５３条１項の規定により却下すべきものである。
第３　本願発明について
１　本願発明　
　本件補正は、上記のとおり却下されたので、本願の請求項１〜１３に係る発明は、平成３１年１月２５日付けの手続き補正書により補正された特許請求の範囲の請求項１〜１３に記載された事項により特定されたものであって、その請求項１に係る発明（以下、「本願発明」という。）は、上記「第２［理由］　１（２）」に記載したとおりのものである。
　
２　原査定における拒絶の理由
　原査定の拒絶の理由は以下のとおりである。
１．（進歩性）この出願の下記の請求項に係る発明は、その出願前に日本国内又は外国において、頒布された下記の引用文献等に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
●理由１（進歩性）について
・請求項　１〜１３
・引用文献等　１〜３
　請求項１に係る発明は、引用文献１に記載された発明及び引用文献２〜３に記載された事項に基づいて当業者が容易に発明することができたものであるから、特許法第２９条第２項の規定により特許を受けることができないと説示している。
　
　　　　　　　＜引用文献等一覧＞
引用文献１.米国特許出願公開第２０１０／０１２０５８５号明細書
引用文献２.特開２００９−７８１３４号公報
引用文献３.特開２０１４−１８２３４号公報
３　引用文献及びその記載事項　
　本願の優先権主張日前に頒布された引用文献１〜３の記載事項及び引用発明は、上記「第２［理由］　３」に記載したとおりである。
　　
４　当審の判断　
　本願発明は、補正発明を特定するために必要な事項である「前記無線インターネットデバイス」について、「人に携行されるよう構成され
た携帯電話であり
　さらに、「前記無線インターネットデバイス」について、「ディスプレイ
と、一体型のＧＰＳデバイス、加速度計又はタイマー
一体型のＧＰＳデバイス、加速度計又はタイマー
　さらに、「運動中に測定される生理学的データである第１のタイプのデータを受け取」ることについて、
「運動中に測定される生理学的データである第１のタイプのデータを
前記生理学的データを測定するセンサが一体化された時計から
　そうすると、本願発明の発明特定事項を全て含み、さらに他の事項を付加したものに相当する補正発明が、前記「第２［理由］４」に記載したとおり、引用発明、引用文献２に記載された技術事項及び周知、慣用の技術に基づいて、当業者が容易に発明をすることができたものであるから、本願発明も、引用発明、引用文献２に記載された技術事項及び周知、慣用の技術に基づいて、当業者が容易に発明をすることができたものである。
第４　まとめ　
　以上のとおり、本願発明は、特許法第２９条第２項の規定により特許を受けることができないから、その他の請求項について言及するまでもなく、本願は拒絶されるべきものである。　
　よって、結論のとおり審決する。